(57)【特許請求の範囲】
【請求項１】
水と、着色剤と、亜燐酸イミダゾリウムと、を含むことを特徴とするインク組成物。
【請求項２】
水と、着色剤と、亜燐酸イミダゾリウムとを含むインク組成物をインクジェット印刷装置に導入し、インク組成物からなるインク滴をイメージに関するパターンで印刷基材に噴射し、前記印刷基材をマイクロ波放射に暴露させ、印刷基材上のイメージを乾燥させることを特徴とするインクジェット印刷プロセス。
【請求項３】
請求項１に記載のインク組成物において、
前記インク組成物のｐＨは７から８であることを特徴とするインク組成物。
【請求項４】
請求項１に記載のインク組成物において、
前記インク組成物のｐＨは７から８であり、前記インク組成物は、さらにトリプロピレングリコールメチルエーテルまたはジプロピレングリコールからなる添加剤を含むことを特徴とするインク組成物。
【発明の詳細な説明】
【０００１】
【発明の属する技術分野】
この発明はインク組成物に関する。より詳細には、この発明はインクジェット印刷プロセスに使用するのに適したインク組成物に関する。
【０００２】
【発明が解決しようとする課題】
周知の組成物及びプロセスはそれらの意図する目的に使用するには適しているが、更にインク組成物について改良が必要である。更に、特にインクジェット印刷プロセスに適したインク組成物について改良が必要である。更に、特にマイクロ波乾燥を使用する印刷プロセスにおいて使用するのに適したインク組成物について改良が必要である。更に、マイクロ波乾燥を使用したインクジェット印刷プロセスに適すると共に印刷ハードウエアにおいて腐食活性が減少するインク組成物が必要である。マイクロ波乾燥を使用したインクジェット印刷プロセスに適すると共に更に殺生物剤を添加しなくても抗菌特性を示すインク組成物が必要である。更に、マイクロ波乾燥を使用したインクジェット印刷プロセスに適すると共に優れた緩衝特性を示すインク組成物が必要である。更に、マイクロ波乾燥を使用したインクジェット印刷プロセスに適すると共に粘度がかなり低いインク組成物が必要である。更に、マイクロ波乾燥を使用したインクジェット印刷プロセスに適すると共に基質浸透特性が改良されたインク組成物が必要である。更に、マイクロ波乾燥を使用したインクジェット印刷プロセスに適すると共に表面張力がかなり高くプリントヘッドにおいて良好な表面はじき性を示すインク組成物が必要である。更に、マイクロ波乾燥を使用したインクジェット印刷プロセスに適すると共にそのインクを用いた印刷後の普通紙においてカールが減少するインク組成物が必要である。更に、マイクロ波乾燥を使用したインクジェット印刷プロセスに適すると共に透明基材上に高品質画像が形成されるインク組成物が必要である。更に、マイクロ波乾燥を使用したインクジェット印刷プロセスに適すると共に良好な回復特性（recoverability）及び待ち時間特性を示すインク組成物が必要である。更に、マイクロ波乾燥を使用したインクジェット印刷プロセスに適すると共に、様々な市販の熱インクジェット透明体ストック（stock）上で色間にじみが低い、良好な透光性を示すなどに関する強固な性能などの透過範囲（transparency latitude）が改良されたインク組成物が必要である。更に、マイクロ波乾燥を使用したインクジェット印刷プロセスに適すると共に良好な導電率特性及びマイクロ波カップリング特性を示すインク組成物が必要である。更に、マイクロ波乾燥を使用したインクジェット印刷プロセスに適すると共に乾燥時間が許容範囲であるインク組成物が必要である。更に、マイクロ波乾燥を使用したインクジェット印刷プロセスに適すると共にインク着色剤として広範囲にわたる直接染料、酸性染料、反応染料を選択することができるインク組成物が必要である。更に、マイクロ波乾燥を使用したインクジェット印刷プロセスに適すると共に０．２ミクロンフィルタを通過する濾過性が改良され大きな粒子が減少しているインク組成物が必要である。更に、マイクロ波乾燥を使用したインクジェット印刷プロセスに適すると共に容易に製造することができるインク組成物が必要である。
【０００３】
【課題を解決するための手段】
本発明の目的は上記利点を有するインク組成物を提供することである。
【０００４】
本発明の（あるいは本発明の特定の実施の形態の）これらの目的及び他の目的は水と、着色剤と、亜燐酸イミダゾリウムと、を含むインク組成物を提供することにより達成することができる。
【０００５】
【発明の実施の形態】
本発明のインクはビヒクル水溶液と、着色剤と、ギ酸イミダゾリウムまたは亜燐酸塩と、を含む。液体ビヒクルは水だけとすることもでき、あるいは水と水溶性または水混和性の有機成分との混合物を含んでもよい。有機成分としては、例えばエチレングリコール、プロピレングリコール、ジエチレングリコール、グリセリン、ジプロピレングリコール、ポリエチレングリコール、ポリプロピレングリコール、トリプロピレングリコールモノメチルエーテル、アミド類、エーテル類、尿素、置換尿素、エーテル類、カルボン酸類とその塩、エステル類、アルコール類、有機硫化物類、有機スルホキシド類、スルホン類（例えばスルホラン）、アルコール誘導体類、カルビトール、ブチルカルビトール、セルソルブ、エーテル誘導体類、アミノアルコール類、ケトン類、Ｎ−メチルピロリジノン、２−ピロリジノン、シクロヘキシルピロリジノン、ヒドロキシエーテル類、アミド類、スルホキシド類、ラクトン類、高分子電解質類、メチルスルホニルエタノール、イミダゾール、及び他の水溶性材料または水混和性材料、及びそれらの混合物が挙げられる。水と水溶性または水混和性有機液体との混合物を液体ビヒクルとして選択した場合、水対有機物の比は典型的には１００：０から約３０：７０の範囲であり、好ましくは約９７：３から約４０：６０の範囲である。液体ビヒクルの非水成分は一般に湿潤剤として作用し、水の沸点（１００℃）よりも高い沸点を有する。本発明のインク組成物では、液体ビヒクルの量は典型的にはインクの約８０から９９．９重量％であり、好ましくはインクの約９０から９９重量％であるが、この範囲外でも構わない。
【０００６】
同様に本発明のインク組成物中には着色剤が含まれる。適当なものであればどのような着色剤でも使用でき、例えば、染料、顔料、これらの混合物などが挙げられる。
【０００７】
インクの液体ビヒクルと相溶性のある適当な染料または染料混合物を使用することができ、例えば酸性染料、塩基性染料、直接染料、反応染料などが挙げられ、水溶性アニオン染料及びカチオン染料が好ましい。適当な染料の例としては、フードブラック（Food Black）Ｎｏ． １、フードブラックＮｏ． ２、フードレッドＮｏ． ４０、フードブルー Ｎｏ． １、フードイエロー Ｎｏ．７、などのフード染料、ＦＤ＆Ｃ染料、アシッドブラック染料（Ｎｏ．１，７，９，２４，２６，４８，５２，５８，６０，６１，６３，９２，１０７，１０９，１１８，１１９，１３１，１４０，１５５，１５６，１７２，１９４など）、アシッドレッド染料（Ｎｏ．１，８，３２，３５，３７，５２，５７，９２，１１５，１１９，１５４，２４９，２５４，２５６など）、アシッドブルー染料（Ｎｏ．１，７，９，２５，４０，４５，６２，７８，８０，９２，１０２，１０４，１１３，１１７，１２７，１５８，１７５，１８３，１９３，２０９など）、アシッドイエロー染料（Ｎｏ．３，７，１７，１９，２３，２５，２９，３８，４２，４９，５９, ６１, ７２, ７３, １１４, １２８, １５１など）、ディレクトブラック染料（Ｎｏ．４, １４, １７, ２２, ２７, ３８, ５１, １１２, １１７, １５４, １６８など）、ディレクトブルー染料（Ｎｏ．１, ６, ８, １４, １５, ２５, ７１, ７６, ７８, ８０, ８６, ９０, １０６, １０８, １２３, １６３, １６５, １９９, ２２６など）、ディレクトレッド染料（Ｎｏ． １, ２, １６,２３, ２４, ２８, ３９, ６２, ７２, ２３６など）、ディレクトイエロー染料（Ｎｏ．４, １１, １２, ２７, ２８, ３３, ３４, ３９, ５０, ５８, ８６,  １００, １０６, １０７, １１８, １２７, １３２, １４２, １５７など）、アントラキノン染料、モノアゾ染料、ジアゾ染料、様々なフタロシアニンスルホン酸塩を含むフタロシアニン誘導体、アザ［１８］アヌレン、ホルマザン銅錯体、トリフェノジオキサジン、様々な反応染料、例えばリアクティブブラック染料、リアクティブブルー染料、リアクティブレッド染料、リアクティブイエロー染料、など、及びそれらの混合物が挙げられる。インク組成物中に存在する染料の量は有効量であればよく、典型的には約０．５から約１５重量％、好ましくは約１から約１０重量％であるが、この範囲外でも構わない。
【０００８】
本発明のインク用の適当な顔料の例としては、チャネルブラック、ファーニスブラック、ランプブラックなどの様々なカーボンブラックが挙げられる。着色顔料としては、赤色、緑色、青色、茶色、紫紅色（マゼンタ）、藍色（シアン）および黄色粒子、及びそれらの混合物が挙げられる。紫紅色顔料の例としては、２，９−ジメチル−置換キナクリドン及びアントラキノン染料、カラーインデックスではＣＩ６０７１０、ＣＩ分散レッド１５として規定されている、ジアゾ染料、カラーインデックスではＣＩ２６０５０、ＣＩ溶剤レッド１５として規定されている、などが挙げられる。適した藍色顔料の例としては、銅テトラ−４−（オクタデシルスルホナミド）フタロシアニン、Ｘ−銅フタロシアニン顔料、カラーインデックスではＣＩ７４１６０、ＣＩ顔料ブルーとして記されている、アントラダントレンブルー、カラーインデックスではＣＩ６９８１０、スペシャルブルーＸ−２１３７として規定されている、などが挙げられる。選択することができる黄色顔料の例としては、ジアリーリド黄色３，３−ジクロロベンジデンアセトアセタニリド、モノアゾ顔料、カラーインデックスではＣＩ１２７００、ＣＩ溶剤イエロー１６として規定されている、ニトロフェニルアミンスルホンアミド、カラーインデックスではフォロン（Foron）イエローＳＥ／ＧＬＮ、ＣＩ分散イエロー３３として規定されている、２，５−ジメトキシ−４−スルホンアニリドフェニルアゾ−４´−クロロ−２，５−ジメトキシアセトアセタニリド、パーマネントイエローＦＧＬ、などが挙げられる。顔料の更に他の例としては、レイバン（Ravan、登録商標）５２５０、レイバン（登録商標）５７５０、レイバン（登録商標）３５００及びコロンビア社（Columbia Company）から入手可能な他の同様のカーボンブラック製品、リーガル（Regal、登録商標）３３０、ブラックパール（Black Pearl、登録商標）Ｌ、ブラックパール（登録商標）１３００、及びカボット社（Cabot Company）から入手可能な他の同様のカーボンブラック製品、デグッサ社（Degussa Company）から入手可能なカラーブラック（登録商標）シリーズ、スペシャルブラック（登録商標）、プリンテックス（Printtex、登録商標）シリーズ及びデラッソール（Derussol、登録商標）カーボンブラック分散物などのデグッサカーボンブラック、ＣＡＢ−Ｏ−ＪＥＴ ２００ 親水性カーボンブラック（カボット社：Cabot Corp.）、 ＣＡＢ−Ｏ−ＪＥＴ ３００親水性カーボンブラック（カボット社）、などが挙げられる。更に、適した市販の顔料分散物としては、ヘキスト社から入手可能なホスタフィン（Hostafine）、例えばホスタフィンイエローＨＲ及びホスタフィンブルーＢ２Ｇ、及びBASFから入手可能な分散物、例えばディスパース(Disperse）ブラック００-６６０７、ルコニル（Luconyl）イエロー１２５０、バソフレックス（Basoflex）ピンク４８１０、ルコニルブルー７０５０、などが挙げられる。適した親水性顔料粒子の他の例としては、例えば米国特許第４，８７７，４５１号及び米国特許５，３７８，５７４号に開示されているように調製された着色シリカ粒子が挙げられる。これらの特許の開示内容はそれぞれ、全てこの中で引用され参照される。他の顔料も選択することができる。好ましくは、顔料粒子サイズはできるだけ小さいものがよく、液体ビヒクル中で粒子が安定したコロイド状懸濁液を形成でき、インクを熱インクジェットプリンタで使用した際にインクチャネルの詰まりが生じないものがよい。好ましい粒子の平均直径は一般に約０．００１から約５ミクロンであり、より好ましくは約０．１から約１ミクロンであるが、この範囲外でも構わない。本発明のインク組成物中の顔料の量は所望の着色程度が達成できる有効量である。典型的には、インク中に存在する顔料の量は約０．１から約８重量％であり、好ましくは約２から約７重量％であるが、この範囲外でも構わない。
【０００９】
本発明のインクは更に、亜燐酸イミダゾリウムを含む。どのような特別な理論にも限定されるものではないが、なお、ギ酸イミダゾリウムは以下の化学式を有するものであると考えられる。
【化１】
0004129081.tif 000002
【００１０】
また、亜燐酸イミダゾリウムは以下の化学式を有するものであると考えられる。
【化２】
0004129081.tif 000003
【００１１】
以下の化学式で表される種もまた、本発明の亜燐酸イミダゾリウムに含まれる。
【化３】
0004129081.tif 000004
【００１２】
但し、この種はインク中では最も好ましいｐＨ値を有するように比較的存在量が少なくなる。イミダゾリウムイオンはまた、所望であれば置換することができる。適した置換イミダゾリウムイオンの例としては、１−メチルイミダゾリウム、１−ブチルイミダゾリウム、などが挙げられる。亜燐酸イミダゾリウム添加物のインク中の量は典型的には、約１から約３０重量％であり、好ましくは約３から約２５重量％であるが、この範囲外でも構わない。
【００１３】
他の添加剤もインク中に存在させることができる。例えば、１つ以上の界面活性剤または湿潤剤をインクに添加することができる。これらの添加剤はカチオン性、アニオン性、非イオン性のいずれの型でもよい。適した界面活性剤及び湿潤剤の例としては、ラウリル硫酸ナトリウム、タモール（Tamol、登録商標）ＳＮ、タモール（登録商標）ＬＧ、ローム＆ハス社（Rohm and Haas Company）から入手可能なトリトン（Triton、登録商標）シリーズのもの、マラスパース（Marasperse、登録商標）シリーズのもの、ＧＡＦ社から入手可能なイゲパル（Igepal、登録商標）のもの、タージトール（Tergitol、登録商標）のもの、および他の市販の界面活性剤が挙げられる。これらの界面活性剤及び湿潤剤の量は有効量であり、一般には０から約１５重量％、好ましくは約０．０１から約８重量％であるが、この範囲外でも構わない。
【００１４】
このインクに必要に応じて添加する他の添加剤としては、ドゥシル（Dowicil）１５０, ２００, ７５、安息香酸塩、ソルビン酸塩、などの殺生物剤が挙げられる。これらの添加剤の存在量は約０．０００１から約４重量％であり、好ましくは約０．０１から約２．０重量％である。酸、あるいは塩基、燐酸塩、カルボン酸塩、亜硫酸塩、アミン塩などのｐＨ調製剤の量は０から約１重量％であり、好ましくは約０．０１から約１重量％である。
【００１５】
インク組成物の粘度は一般に熱インクジェット印刷プロセスに使用するのに適したものである。室温（すなわち、約２５℃）では、典型的にはインクの粘度は約５センチポイズ以下であり、通常は約１．５から約４センチポイズであり、好ましくは約１から約２．５センチポイズであるが、この範囲外の粘度でも構わない。
【００１６】
本発明のインク組成物のｐＨは適当な値あるいは所望の値とすることができる。熱インクジェット印刷プロセスなどの幾つかの実施の形態においては、典型的なｐＨ値は約５から約１０であり、好ましくは約６から約１０であり、更に好ましくは約７から約８であるが、この範囲外のｐＨでも構わない。
【００１７】
インクジェット印刷に適したインク組成物は適したプロセスにより調製することができる。典型的には、インクは成分を単純に混合することにより調製される。１つのプロセスでは、全てのインク成分を共に混合し、その混合物を濾過してインクを得る工程が含まれる。インクは従来のインク組成物を調製する所望のプロセス、例えば、成分を混合、所望であれば加熱、濾過、望ましい追加の添加剤の混合物への添加、均一な混合物が得られるまで、典型的には約５分から約１０分間、室温で中程度の振動を与えながら混合する、により調整することができる。その代わりに、必要に応じてインク添加剤を他のインク成分と共にインク調製プロセス中に混合することができ、これは所望のプロセス、例えば、全ての成分を混合、所望であれば加熱、濾過、により達成される。更に、本発明のインクでは、インク成分中にイミダゾールを含有させ、続いて所望のｐＨ値が達成されるまでギ酸または亜燐酸をインクに添加することにより、亜燐酸イミダゾリウム添加剤をインク調製プロセス中に生成させることができる。
【００１８】
本発明はまた本発明のインク組成物をインクジェット印刷装置に導入しインク組成物の滴を基質上にイメージに関するパターンで噴射させる工程を含む。特に好ましい実施の形態では、印刷装置は熱インクジェットプロセスを使用し、ノズル内のインクはイメージに関するパターンで選択的に加熱され、これによりイメージに関するパターンでインク滴が噴射される。基質は適当なものとすることができ、例えば、ゼロックス（Xerox、登録商標）４０２４紙、ノート用けい紙、ボンド紙、シャープ（Sharp Company）シリカコート紙、ジュージョー（JuJO）紙などのシリカコート紙、透明材料、織物、繊維製品、プラスチック、ポリマーフィルム、金属や木材などの無機基質、などが挙げられる。１つの好ましい実施の形態では、プロセスには普通紙などの多孔質基質またはインク吸収基質上に印刷する工程が含まれる。
【００１９】
本発明の他の好ましい実施の形態では、このインクは印刷したイメージをマイクロ波乾燥する工程を含む印刷プロセスにおいて使用される。インクジェット印刷プロセスを含むマイクロ波乾燥を使用する印刷プロセス及び装置は、例えば、米国特許第５，５６３，６４４号及び米国特許第５，２２０，３４６号において開示されている。インクは適した基材にイメージに関する様式で塗布される。インクの基材への塗布は水性インクが使用できる適したプロセス、例えば、フレキソ印刷、ペンプロッター、連続ストリームインクジェット印刷、ドロップオンデマンドインクジェット印刷（圧電インクジェットプロセス及び熱インクジェットプロセスの両方を含む）、などにより実行することができる。本発明の１つの実施の形態は１つの印刷基材にイメージに関する様式で、水と、着色剤と、亜燐酸イミダゾリウムと、を含むインク組成物を塗布する工程と、続いてその基材をマイクロ波放射に暴露させ、これにより基材上のイメージを乾燥させる工程と、を含む印刷プロセスに関する。
【００２０】
本発明の他の実施の形態は熱インクジェット印刷プロセスに関する。その熱インクジェット印刷プロセスは、（１）水と、着色剤と、亜燐酸イミダゾリウムと、を含むインク組成物を熱インクジェット印刷装置に導入する工程と、（２）インクをイメージに関するパターンで加熱し、そこに気泡を形成させ、これによりインク滴をイメージに関するパターンで基材上に噴射し、その基材上にイメージを形成する工程と、（３）基材をマイクロ波放射に暴露させ、基材上のイメージを乾燥させる工程と、を備えるものである。
【００２１】
実施の形態１．
インク組成物は下記の成分を混合し、３０分間ロールミル処理を行い、得られたインクを０．２ミクロンのナイロンフィルタを通して濾過することにより調製した。
【００２２】
＜黄色インク＞
脱イオン水が４１０．２８ｇ、
四酢酸エチレンジアミン（ダウケミカル社：Dow Chemical Co.）が１ｇ、
以下の化学式で表され、分子量が１８，５００のポリエチレンオキシド（ビスフェノール−Ａ誘導体）（ポリサイエンス社：Polysciences Corp.）が０．５０７９ｇ、
ドゥシル１５０殺生物剤（ダウケミカル社）が０．９９９ｇ、
ジプロピレングリコール（アシュランドケミカル：Achland Chemicals）が７９．９６ｇ、
トリプロピレングリコールメチルエーテル（ダウケミカル社）が８９．９９ｇ、
プロジェットイエロー１Ｇ黄色染料液（ゼネカカラーズ：Zeneca Colors）が１６７．７６ｇ、
アシッドイエロー１７黄色染料液（トリコンカラーズ：Tricon Colors）が１７５．０２ｇ、
亜燐酸イミダゾリウムが７５．０１ｇ（イミダゾール（アルドリッチケミカル社）が５０ｇと亜燐酸（ローンポーレンク：Rhon Poulenc）が２５．０１ｇ）とからなる。
【化４】
0004129081.tif 000005
【００２３】
＜紫紅色インク＞
脱イオン水が４６０．４１ｇ、
四酢酸エチレンジアミン（ダウケミカル社）が０．９９９４ｇ、
以下の化学式で表され、分子量が１８，５００のポリエチレンオキシド（ビスフェノール−Ａ誘導体）（ポリサイエンス社）が０．５ｇ、
ドゥシル１５０殺生物剤（ダウケミカル社）が１．０２７ｇ、
ジプロピレングリコール（アシュランドケミカル ）が８０．０１ｇ、
トリプロピレングリコールメチルエーテル（ダウケミカル社）が９０．０１ｇ、
プロジェットマジェンタ１Ｔ紫紅色染料液（ゼネカカラーズ：Zeneca Colors）が２５０．０５ｇ
アシッドレッド５２赤色染料液（トリコンカラーズ）が４２．５４ｇ、
亜燐酸イミダゾリウムが７５．０２ｇ（イミダゾール（アルドリッチケミカル社）が５０ｇと亜燐酸（ローンポーレンク）が２５．０２ｇ）とからなる。
【化５】
0004129081.tif 000006
【００２４】
＜藍色インク＞
脱イオン水が４０２．９９ｇ、
四酢酸エチレンジアミン（ダウケミカル社）が１．０００２ｇ、
以下の化学式で表され、分子量が１８，５００のポリエチレンオキシド（ビスフェノール−Ａ誘導体）（ポリサイエンス社）が０．５０１ｇ、
ドゥシル１５０殺生物剤（ダウケミカル社）が０．９９９５ｇ、
ジプロピレングリコール（アシュランドケミカル）が８０ｇ、
トリプロピレングリコールメチルエーテル（ダウケミカル社）が９０ｇ、
プロジェットシアン１藍色染料液（ゼネカカラーズ：Zeneca Colors）が３５０．０４ｇ、
亜燐酸イミダゾリウムが７５．０２ｇ（イミダゾール（アルドリッチケミカル社）が５０ｇと亜燐酸（ローンポーレンク）が２５．０２ｇ）とからなる。
【化６】
0004129081.tif 000007
【００２５】
インク組成物は粘度（センチポイズ、２５℃で測定、ブルックフィールド（Brookfield）モデルＤＶ−ＩＩ）、表面張力（ｄｙｎｅ／ｃｍ、クラス（Kruss）モデルＫ１０Ｔ）、ｐＨ（コーニング（Corning）モデル３４５）、導電率（ｍｍｈｏｓ、ＹＳＩモデル３２／３４１７）について以下の値を示した。
【表１】
0004129081.tif 000008
【００２６】
インクはヒューレットパッカード（Hewlett-Packard）５５０Ｃ熱インクジェットプリンタに導入し、様々なオフィス用普通紙、熱インクジェット紙、及び熱インクジェット透明体上で印刷を行った。良質な印刷が得られ、そのインクはプリンタにおいて良好な回復性を示した。これらのインクはマイクロ波乾燥を行うと優れた乾燥特性を示すと考えられる。
【００２７】
参考実施の形態１．
インク組成物は下記の成分を混合し、３０分間ロールミル処理を行い、得られたインクを０．２ミクロンのナイロンフィルタを通して濾過することにより調製した。
【００２８】
＜黄色インク＞
脱イオン水が２９６．１２ｇ、
四酢酸エチレンジアミン（ダウケミカル社）が１．００１３ｇ、
以下の化学式で表され、分子量が１８，５００のポリエチレンオキシド（ビスフェノール−Ａ誘導体）（ポリサイエンス社）が０．５０１３ｇ、
ドゥシル１５０殺生物剤（ダウケミカル社）が１．０００４ｇ、
ジプロピレングリコール（アシュランドケミカル）が８０ｇ、
トリプロピレングリコールメチルエーテル（ダウケミカル社）が９０．０２ｇ、
プロジェットイエロー１Ｇ黄色染料液（ゼネカカラーズ）が２６９．９９ｇ、
アシッドイエロー１７黄色染料液（トリコンカラーズ）が２０１．７５ｇ、
ギ酸イミダゾリウムが５９．９９ｇ（イミダゾール（アルドリッチケミカル社）が４９．９９ｇとギ酸（アルドリッチケミカル社）が１０ｇ）とからなる。
【化７】
0004129081.tif 000009
【００２９】
＜紫紅色インク＞
脱イオン水が４７５．６８ｇ、
四酢酸エチレンジアミン（ダウケミカル社）が１．００１９ｇ、
以下の化学式で表され、分子量が１８，５００のポリエチレンオキシド（ビスフェノール−Ａ誘導体）（ポリサイエンス社）が０．５００１ｇ、
ドゥシル１５０殺生物剤（ダウケミカル社）が１．００１１ｇ、
ジプロピレングリコール（アシュランドケミカル）が７９．９６ｇ、
トリプロピレングリコールメチルエーテル（ダウケミカル社）が９０．０３９９９ｇ、
プロジェットマジェンタ１Ｔ紫紅色染料液（ゼネカカラーズ）が２５０ｇ、
アシッドレッド５２赤色染料液（トリコンカラーズ）が４２．５ｇ、
ギ酸イミダゾリウムが５９．９９ｇ（イミダゾール（アルドリッチケミカル社）が５０ｇとギ酸（アルドリッチケミカル社）が９．９９ｇ）とからなる。
【化８】
0004129081.tif 000010
【００３０】
＜藍色インク＞
脱イオン水が４１７．６３ｇ、
四酢酸エチレンジアミン（ダウケミカル社）が１．００１５ｇ、
以下の化学式で表され、分子量が１８，５００のポリエチレンオキシド（ビスフェノール−Ａ誘導体）（ポリサイエンス社）が０．５０１１ｇ、
ドゥシル１５０殺生物剤（ダウケミカル社）が１．００１６ｇ、
ジプロピレングリコール（アシュランドケミカル）が８０ｇ、
トリプロピレングリコールメチルエーテル（ダウケミカル社）が８９．９９ｇ、
プロジェットシアン１藍色染料液（ゼネカカラーズ：Zeneca Colors）が３５０．０７ｇ
ギ酸イミダゾリウムが６０．０２ｇ（イミダゾール（アルドリッチケミカル社）が５０ｇとギ酸（アルドリッチケミカル社）が１０．０２ｇ）とからなる。
【化９】
0004129081.tif 000011
【００３１】
＜黒色インク＞
脱イオン水が５７４．８２ｇ、
四酢酸エチレンジアミン（ダウケミカル社）が１ｇ、
以下の化学式で表され、分子量が１８，５００のポリエチレンオキシド（ビスフェノール−Ａ誘導体）（ポリサイエンス社）が０．５ｇ、
ドゥシル１５０殺生物剤（ダウケミカル社）が１ｇ、
ナトリウムｎ−ラウロイルサルコシネート（シグマケミカルズ：Sigma Chemicals）が１ｇ、
バスアシッドブラックＸ３４黒色染料液（ＢＡＳＦ）が１４０ｇ、
バイスクリプト（BAYSCRIPT)ブラックＣＡ５１０７１黒色染料液（バイヤーモーベイ：Bayer Mobay）が４１．８ｇ、
ギ酸イミダゾリウムが２３９．８８ｇ（イミダゾール（アルドリッチケミカル社）が２００ｇとギ酸（アルドリッチケミカル社）が３９．８８ｇ）とからなる。
【化１０】
0004129081.tif 000012
【００３２】
インク組成物は粘度（センチポイズ、２５℃で測定、ブルックフィールドモデルＤＶ−ＩＩ）、表面張力（ｄｙｎｅ／ｃｍ、クラスモデルＫ１０Ｔ）ｐＨ（コーニングモデル３４５）、導電率（ｍｍｈｏｓ、ＹＳＩモデル３２／３４１７）について以下の値を示した。
【表２】
0004129081.tif 000013
【００３３】
インクはヒューレットパッカード５５０Ｃ熱インクジェットプリンタに導入し、様々なオフィス用普通紙、熱インクジェット紙、及び熱インクジェット透明体上で印刷を行った。良質な印刷が得られ、そのインクはプリンタにおいて良好な回復性を示した。これらのインクはマイクロ波乾燥を行うと優れた乾燥特性を示すと考えられる。
【００３４】
参考実施の形態２．
黒色インク組成物は下記の成分を混合し、３０分間ロールミル処理を行い、得られたインクを２０ｐｏｕｎｄ／ｉｎｃｈ2（１４０７．４ｇ／ｃｍ2）で３分２０秒間、０．２ミクロンの１４２ｍｍゲルマンナイラフロー（Gelman Nylaflow）ナイロンフィルタを通して濾過することにより調製した。
【００３５】
脱イオン水が６２１．３８ｇ、
以下の化学式で表され、分子量が１８，５００のポリエチレンオキシド（ビスフェノール−Ａ誘導体）（ポリサイエンス社）が０．５ｇ、
ドゥシル１５０殺生物剤（ダウケミカル社）が１ｇ、
バスアシッドブラックＸ３４黒色染料液（ＢＡＳＦ）が１０７．５ｇ、
アシッドレッド５２染料（トリコンカラーズ）が１７．５ｇ、
ギ酸イミダゾリウムが２５２．１２ｇ（イミダゾール（アルドリッチケミカル社）が２００ｇとギ酸（アルドリッチケミカル社）が５２．１２ｇ）とからなる。
【化１１】
0004129081.tif 000014
【００３６】
インク組成物は粘度（センチポイズ、２５℃で測定、ブルックフィールドモデルＤＶ―ＩＩ）、表面張力（ｄｙｎｅ／ｃｍ、クラスモデルＫ１０Ｔ）、ｐＨ（コーニングモデル３４５）、導電率（ｍｍｈｏｓ、ＹＳＩモデル３２／３４１７）について以下の値を示した。
【表３】
0004129081.tif 000015
【００３７】
インクはヒューレットパッカード５５０Ｃ熱インクジェットプリンタに導入し、様々なオフィス用普通紙、熱インクジェット紙、及び熱インクジェット透明体上で印刷を行った。良質な印刷が得られ、そのインクはプリンタにおいて良好な回復性を示した。これらのインクはマイクロ波乾燥を行うと優れた乾燥特性を示すと考えられる。